(57)【特許請求の範囲】
【請求項１】
複数の異なる周波数の電圧を出力することが可能な電源装置であって、
第１周波数の交流電圧と第２周波数の交流電圧とを重畳した第１交流電圧を生成するための制御装置と、
前記制御装置に電気的に接続されている一次巻線と、
前記第１交流電圧が印加された前記一次巻線の相互誘導により第２交流電圧を発生するための二次巻線と、
前記第２交流電圧の交流成分の内、前記第１周波数の交流成分を通過させ、当該交流成分を第１出力電圧として出力するための第１フィルタと、
前記第２交流電圧の交流成分の内、前記第２周波数の交流成分を通過させ、当該交流成分を第２出力電圧として出力するための第２フィルタと、
前記第２出力電圧を直流電圧に変換するための変換部と、
前記第１出力電圧と前記直流電圧とを重畳するための加算器とを備える、電源装置。
【請求項２】
前記制御装置は、前記直流電圧の大きさが所定電圧値になるように前記第１交流電圧を調整する、請求項１に記載の電源装置。
【請求項３】
前記電源装置は、
前記二次巻線に流れる電流を検知し、当該電流の大きさを表わす検知信号を出力するための電流検知部と、
前記検知信号の交流成分の内、前記第１周波数または前記第２周波数の成分を通過させるための第３フィルタとをさらに備える、請求項１に記載の電源装置。
【請求項４】
前記制御装置は、前記第３フィルタを通過した前記検知信号に基づいて電流値を算出し、当該電流値が所定電流値になるように前記第１交流電圧を調整する、請求項３に記載の電源装置。
【請求項５】
前記制御装置は、制御モードの設定を受け付けるように構成されており、
前記制御モードは、電流制御モードと、電圧制御モードとを含み、
前記制御装置は、
前記電圧制御モードにおいて、前記直流電圧の大きさが所定電圧値になるように前記第１交流電圧を調整し、
前記電流制御モードにおいて、前記電流値が前記所定電流値になるように前記第１交流電圧を調整する、請求項４に記載の電源装置。
【請求項６】
前記制御装置は、前記所定電圧値および前記所定電流値の少なくとも一方の設定を受け付けるように構成されている、請求項５に記載の電源装置。
【請求項７】
前記制御装置は、ＣＰＵ（Central  Processing  Unit）またはＤＳＰ（Digital  Signal  Processor）である、請求項１〜６のいずれか１項に記載の電源装置。
【請求項８】
前記電源装置は、画像形成装置に搭載されており、
前記制御装置は、前記画像形成装置の動作をさらに制御する、請求項１〜７のいずれか１項に記載の電源装置。
【請求項９】
請求項１〜８のいずれか１項に記載の電源装置を備える、画像形成装置。
【請求項１０】
前記画像形成装置は、
表面に静電潜像が形成される感光体と、
前記感光体の表面を帯電するための帯電装置とを備え、
前記第１出力電圧と前記直流電圧との重畳電圧は、前記帯電装置に印加される、請求項９に記載の画像形成装置。
【請求項１１】
前記画像形成装置は、
表面に静電潜像が形成される感光体と、
前記静電潜像を現像してトナー画像を生成する現像ローラーとを備え、
前記第１出力電圧と前記直流電圧との重畳電圧は、前記現像ローラーに印加される、請求項９に記載の画像形成装置。
【発明の詳細な説明】
【技術分野】
【０００１】
本開示は、電源装置に関し、特に、同時に複数の電圧を出力することができる電源装置に関する。
【背景技術】
【０００２】
異なる大きさの電圧を出力することが可能な電源装置が普及している。当該電源装置は、たとえば、交流電圧が印加される一次巻線と、一次巻線の相互誘導により電圧を発生する二次巻線とで構成されている。
【０００３】
異なる大きさの電圧を出力することが電源装置に関し、特開２００８−６１３３２号公報（特許文献１）は、一次巻線に印加する交流電圧の周波数を変えることにより、二次巻線から出力される電圧を変えるための電源装置を開示している。特開平０９−３２５６５５号公報（特許文献２）は、交流電圧および直流電圧を出力することが可能な高圧電源装置を開示している。特開平０４−３２５８７３号公報（特許文献３）は、複数の電圧出力回路を個別に制御できる電源装置を開示している。
【先行技術文献】
【特許文献】
【０００４】
【特許文献１】特開２００８−６１３３２号公報
【特許文献２】特開平０９−３２５６５５号公報
【特許文献３】特開平０４−３２５８７３号公報
【発明の概要】
【発明が解決しようとする課題】
【０００５】
異なる周波数の交流電圧を重畳した電圧（以下、「重畳電圧」ともいう。）を一次巻線に印加すると、一次巻線の相互誘導により重畳電圧に応じた交流電圧が二次巻線に発生する。このように発生した交流電圧を異なる周波数の交流電圧に分離することが望まれている。特許文献１〜３は、重畳電圧を一次巻線に印加することについては開示していない。
【０００６】
本開示は上述のような問題点を解決するためになされたものであって、ある局面における目的は、異なる周波数の交流電圧を重畳した電圧を一次巻線に印加することにより異なる電圧を発生させることができる電源装置を提供することである。他の局面における目的は、異なる周波数の交流電圧を重畳した電圧を一次巻線に印加することにより異なる電圧を発生させることができる画像形成装置を提供することである。
【課題を解決するための手段】
【０００７】
ある局面に従うと、複数の異なる周波数の電圧を出力することが可能な電源装置は、第１周波数の交流電圧と第２周波数の交流電圧とを重畳した第１交流電圧を生成するための制御装置と、上記制御装置に電気的に接続されている一次巻線と、上記第１交流電圧が印加された上記一次巻線の相互誘導により第２交流電圧を発生するための二次巻線と、上記第２交流電圧の交流成分の内、上記第１周波数の交流成分を通過させ、当該交流成分を第１出力電圧として出力するための第１フィルタと、上記第２交流電圧の交流成分の内、上記第２周波数の交流成分を通過させ、当該交流成分を第２出力電圧として出力するための第２フィルタと、上記第２出力電圧を直流電圧に変換するための変換部と、上記第１出力電圧と上記直流電圧とを重畳するための加算器とを備える。
【００１０】
好ましくは、上記制御装置は、上記直流電圧の大きさが所定電圧値になるように上記第１交流電圧を調整する。
【００１１】
好ましくは、上記電源装置は、上記二次巻線に流れる電流を検知し、当該電流の大きさを表わす検知信号を出力するための電流検知部と、上記検知信号の交流成分の内、上記第１周波数または上記第２周波数の成分を通過させるための第３フィルタとをさらに備える。
【００１２】
好ましくは、上記制御装置は、上記第３フィルタを通過した上記検知信号に基づいて電流値を算出し、当該電流値が所定電流値になるように上記第１交流電圧を調整する。
【００１３】
好ましくは、上記制御装置は、制御モードの設定を受け付けるように構成されている。上記制御モードは、電流制御モードと、電圧制御モードとを含む。上記制御装置は、上記電圧制御モードにおいて、上記直流電圧の大きさが所定電圧値になるように上記第１交流電圧を調整し、上記電流制御モードにおいて、上記電流値が上記所定電流値になるように上記第１交流電圧を調整する。
【００１４】
好ましくは、上記制御装置は、上記所定電圧値および上記所定電流値の少なくとも一方の設定を受け付けるように構成されている。
【００１５】
好ましくは、上記制御装置は、ＣＰＵ（Central  Processing  Unit）またはＤＳＰ（Digital  Signal  Processor）である。
【００１６】
好ましくは、上記電源装置は、画像形成装置に搭載されている。上記制御装置は、上記画像形成装置の動作をさらに制御する。
【００１７】
他の局面に従うと、画像形成装置は、上記電源装置を備える。
さらに他の局面に従うと、上記画像形成装置は、表面に静電潜像が形成される感光体と、上記感光体の表面を帯電するための帯電装置とを備える。上記第１出力電圧と上記直流電圧との重畳電圧は、上記帯電装置に印加される。
さらに他の局面に従うと、上記画像形成装置は、表面に静電潜像が形成される感光体と、上記静電潜像を現像してトナー画像を生成する現像ローラーとを備える。上記第１出力電圧と上記直流電圧との重畳電圧は、上記現像ローラーに印加される。
【発明の効果】
【００３１】
ある局面において、異なる周波数の交流電圧を重畳した電圧を一次巻線に印加することにより異なる電圧を発生させることができる。
【００３２】
本発明の上記および他の目的、特徴、局面および利点は、添付の図面と関連して理解される本発明に関する次の詳細な説明から明らかとなるであろう。
【図面の簡単な説明】
【００３３】
【図１】第１の実施の形態に従う画像形成装置の内部構造の一例を示す図である。
【図２】第１の実施の形態に従う電源装置の回路構成の一例を示す図である。
【図３】第１の実施の形態に従う電源装置の回路構成の第１変形例を示す図である。
【図４】第１の実施の形態に従う電源装置の回路構成の第２変形例を示す図である。
【図５】電流検知回路の一例を示す図である。
【図６】第１の実施の形態に従う電源装置の回路構成の第３変形例を示す図である。
【図７】電流検知回路の他の例を示す図である。
【図８】入力信号の一例を示す図である。
【図９】バンドパスフィルタの回路構成の一例を示す図である。
【図１０】第１の実施の形態に従う画像形成装置の主要なハードウェア構成を示すブロック図である。
【図１１】第２の実施の形態に従う変圧器を示す図である。
【図１２】第２の実施の形態に従う変圧器の伝達特性を示す図である。
【図１３】第２の実施の形態に従う変圧器の外観を示す図である。
【図１４】第２の実施の形態に従う変圧器を分解した図である。
【図１５】第２の実施の形態に従う電源装置の回路構成の一例を示す図である。
【発明を実施するための形態】
【００３４】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００３５】
＜第１の実施の形態＞
図１を参照して、電源装置５０を搭載する画像形成装置１００について説明する。図１は、画像形成装置１００の内部構造の一例を示す図である。
【００３６】
図１には、カラープリンタとしての画像形成装置１００が示されている。以下では、カラープリンタとしての画像形成装置１００について説明するが、画像形成装置１００は、カラープリンタに限定されない。たとえば、画像形成装置１００は、モノクロプリンタであってもよいし、ファックスであってもよいし、モノクロプリンタ、カラープリンタおよびファックスの複合機（ＭＦＰ：Multi-Functional  Peripheral）であってもよい。
【００３７】
画像形成装置１００は、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着装置４３と、電源装置５０とを含む。
【００３８】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００３９】
画像形成ユニット１Ｙ，１Ｍ，１Ｃ，１Ｋは、それぞれ、中間転写ベルト３０に沿って中間転写ベルト３０の回転方向の順に配置されている。画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００４０】
帯電装置１１は、感光体１０の表面を一様に帯電する。露光装置１２は、後述する制御装置５１からの制御信号に応じて感光体１０にレーザー光を照射し、入力された画像パターンに従って感光体１０の表面を露光する。これにより、入力画像に応じた静電潜像が感光体１０上に形成される。
【００４１】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００４２】
感光体１０と中間転写ベルト３０とは、一次転写ローラー３１を設けている部分で互いに接触している。一次転写ローラー３１は、回転可能に構成されている。トナー像と反対極性の転写電圧が一次転写ローラー３１に印加されることによって、トナー像が感光体１０から中間転写ベルト３０に転写される。イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００４３】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００４４】
クリーニング装置１７は、感光体１０に圧接されている。クリーニング装置１７は、トナー像の転写後に感光体１０の表面に残留するトナーを回収する。
【００４５】
カセット３７には、用紙Ｓがセットされる。用紙Ｓは、カセット３７から１枚ずつタイミングローラー４０によって搬送経路４１に沿って二次転写ローラー３３に送られる。二次転写ローラー３３は、トナー像と反対極性の転写電圧を搬送中の用紙Ｓに印加する。これにより、トナー像は、中間転写ベルト３０から二次転写ローラー３３に引き付けられ、中間転写ベルト３０上のトナー像が転写される。二次転写ローラー３３への用紙Ｓの搬送タイミングは、中間転写ベルト３０上のトナー像の位置に合わせてタイミングローラー４０によって調整される。タイミングローラー４０により、中間転写ベルト３０上のトナー像は、用紙Ｓの適切な位置に転写される。
【００４６】
定着装置４３は、自身を通過する用紙Ｓを加圧および加熱する。これにより、用紙Ｓ上に形成されているトナー像が用紙Ｓに定着する。その後、用紙Ｓは、トレー４８に排紙される。
【００４７】
電源装置５０は、たとえば、画像形成装置１００内の各装置に異なる大きさの電圧を供給する。電源装置５０の詳細については後述する。
【００４８】
［電源装置５０］
上述したように、電源装置５０は、画像形成装置１００内の各装置に異なる大きさの電圧を印加する。一例として、電源装置５０は、帯電装置１１、現像ローラー１４、一次転写ローラー３１、および二次転写ローラー３３の少なくとも１つに電圧を供給する。以下では、帯電装置１１に電圧を供給する電源装置５０、現像ローラー１４に電圧を供給する電源装置５０、一次転写ローラー３１に電圧を供給する電源装置５０、および二次転写ローラー３３に電圧を供給する電源装置５０について順に説明する。
【００４９】
（帯電装置１１用の電源装置５０）
図２を参照して、帯電装置１１に電圧を供給する電源装置５０について説明する。図２は、電源装置５０の回路構成の一例を示す図である。
【００５０】
本例における電源装置５０は、１つの変圧器（トランス）から直流電圧および交流電圧を出力することができる。電源装置５０が１つの変圧器で構成されることで、電源装置５０の構造が簡素になり、電源装置５０の小型化および低コスト化が実現される。
【００５１】
図２に示されるように、電源装置５０は、制御装置５１と、変圧器５４と、検知部５６と、増幅器Ｄと、バンドパスフィルタＦ１，Ｆ２，Ｆ１０と、変換回路Ｔ１，Ｔ２と、コンデンサーＣ１と、加算器Ａ１とで構成されている。制御装置５１は、周波数制御部ＡＣ，ＤＣ１と、加算器Ａ０とで構成されている。
【００５２】
周波数制御部ＡＣは、所定周波数の交流電圧ｆ１を生成する。交流電圧ｆ１は、電気信号（制御信号）である。交流電圧ｆ１の周波数は、たとえば、１ｋＨｚである。周波数制御部ＡＣは、ＯＮ信号を受けた場合に交流電圧ｆ１を生成し、ＯＦＦ信号を受けた場合に交流電圧ｆ１の生成を停止する。交流電圧ｆ１は、加算器Ａ０に出力される。
【００５３】
周波数制御部ＤＣは、交流電圧ｆ１とは異なる周波数の交流電圧ｆ２を生成する。交流電圧ｆ２は、電気信号（制御信号）である。交流電圧ｆ２の周波数は、たとえば、３０ｋＨｚである。周波数制御部ＤＣは、ＯＮ信号を受けた場合に交流電圧ｆ２を生成し、ＯＦＦ信号を受けた場合に交流電圧ｆ２の生成を停止する。交流電圧ｆ２は、加算器Ａ０に出力される。
【００５４】
加算器Ａ０は、異なる周波数の交流電圧ｆ１，ｆ２を重畳し、重畳電圧ｆを生成する。重畳電圧ｆは、増幅器Ｄに増幅された上で変圧器５４に出力される。
【００５５】
変圧器５４は、一次巻線Ｗ１と、二次巻線Ｗ２とで構成されている。一次巻線Ｗ１および二次巻線Ｗ２は、たとえばコイルである。
【００５６】
一次巻線Ｗ１は、増幅器Ｄを介して制御装置５１に電気的に接続されている。重畳電圧ｆは、一次巻線Ｗ１に印加される。
【００５７】
二次巻線Ｗ２は、電磁気的に一次巻線Ｗ１に結合されている。そのため、重畳電圧ｆが一次巻線Ｗ１に印加されると、二次巻線Ｗ２は、一次巻線Ｗ１の相互誘導により重畳電圧ｆ’（第２交流電圧）を発生する。重畳電圧ｆ’は、重畳電圧ｆと同じ交流成分を含む。
【００５８】
重畳電圧ｆ’の大きさは、一次巻線Ｗ１の巻き数に対する二次巻線Ｗ２の巻き数に比例する。たとえば、一次巻線Ｗ１に対する二次巻線Ｗ２の巻き数比が１０００であるとする。交流電圧ｆ１の振幅は１Ｖであり、交流電圧ｆ１の周波数は１ｋＨｚであるとする。交流電圧ｆ２の振幅は２Ｖであり、交流電圧ｆ２の周波数は３０ｋＨｚであるとする。この交流電圧ｆ１，ｆ２の重畳電圧ｆが一次巻線Ｗ１に印加されると、二次巻線Ｗ２は、振幅が１０００Ｖ（＝１Ｖ×１０００）で周波数が１ｋＨｚの交流電圧と、振幅が２０００Ｖ（＝２Ｖ×１０００）で周波数が３０ｋＨｚの交流電圧とを重畳した重畳電圧ｆ’を発生する。このように、重畳電圧ｆ’の振幅は、重畳電圧ｆの振幅と異なるが、重畳電圧ｆ’の交流成分は、重畳電圧ｆの周波数成分と同じになる。
【００５９】
バンドパスフィルタＦ１は、所定周波数帯域の交流電圧を通過させ、その他の周波数帯域の交流電圧をカットする。より具体的には、バンドパスフィルタＦ１は、重畳電圧ｆ’の交流成分の内、交流電圧ｆ１と同じ周波数の交流成分を通過させる。一例として、バンドパスフィルタＦ１は、１ｋＨｚの交流電圧を通過させる。バンドパスフィルタＦ１を通過した重畳電圧ｆ’は、出力電圧ｆ１’として、変換回路Ｔ１およびコンデンサーＣ１のそれぞれに出力される。
【００６０】
バンドパスフィルタＦ２は、所定周波数帯域の交流電圧を通過させ、その他の周波数帯域の交流電圧をカットする。より具体的には、バンドパスフィルタＦ２は、重畳電圧ｆ’の交流成分の内、交流電圧ｆ２と同じ周波数の交流成分を通過させる。一例として、バンドパスフィルタＦ２は、３０ｋＨｚの交流電圧を通過させる。バンドパスフィルタＦ２を通過した重畳電圧ｆ’は、出力電圧ｆ２’として、変換回路Ｔ２および加算器Ａ１のそれぞれに出力される。
【００６１】
このように、電源装置５０は、１つの二次巻線Ｗ２から出力される重畳電圧ｆ’を異なる大きさの出力電圧ｆ１’，ｆ２’に分離することができる。異なる大きさの電圧を出力するために、複数の二次巻線Ｗ２が設けられる必要がないため、電源装置５０の小型化および低コスト化が実現される。
【００６２】
コンデンサーＣ１は、たとえば、カップリングコンデンサーである。コンデンサーＣ１は、重畳電圧ｆ’の直流成分を除去し、交流電圧ｆＡＣを出力する。交流電圧ｆＡＣは、加算器Ａ１に出力される。
【００６３】
変換回路Ｔ１は、出力電圧ｆ１’を直流電圧ｆＤＣ１に変換する。好ましくは、変換回路Ｔ１は、整流回路と平滑回路とで構成されている。変換回路Ｔ１は、出力電圧ｆ１’を整流回路で整流した上で、整流後の出力電圧ｆ１’を平滑回路で平滑することで、直流電圧ｆＤＣ１を出力する。これにより、変換回路Ｔ１は、交流電圧の出力電圧ｆ１’から直流電圧ｆＤＣ１を生成することができる。直流電圧ｆＤＣ１は、周波数制御部ＡＣにフィードバックされる。
【００６４】
変換回路Ｔ２（変換部）は、出力電圧ｆ２’を一定の直流電圧ｆＤＣ２に変換する。これにより、電源装置５０は、交流電圧ｆＡＣだけでなく、直流電圧ｆＤＣ２も出力することができる。好ましくは、変換回路Ｔ２は、整流回路と平滑回路とで構成されている。変換回路Ｔ２は、出力電圧ｆ２’を整流回路で整流した上で、整流後の出力電圧ｆ２’を平滑回路で平滑することで、直流電圧ｆＤＣ２を出力する。これにより、変換回路Ｔ２は、交流電圧の出力電圧ｆ２’から直流電圧ｆＤＣ２を生成することができる。直流電圧ｆＤＣ２は、加算器Ａ１に出力されるとともに、周波数制御部ＤＣにフィードバックされる。
【００６５】
加算器Ａ１は、交流電圧ｆＡＣと直流電圧ｆＤＣ２とを重畳する。加算器Ａ１からの出力電圧は、たとえば、帯電装置１１（図１参照）に印加される。交流電圧ｆＡＣの周波数が調整されることで、帯電装置１１に印加される電圧の周波数が調整される。直流電圧ｆＤＣ２の振幅が調整されることで、帯電装置１１に印加される電圧の振幅が調整される。電源装置５０は、交流電圧ｆＡＣの周波数および直流電圧ｆＤＣ２の振幅をそれぞれ個別に調整することで、任意の振幅および任意の周波数の電圧を帯電装置１１に印加することができる。
【００６６】
周波数制御部ＡＣは、変換回路Ｔ１からフィードバックされた直流電圧ｆＤＣ１が目標電圧値になるように交流電圧ｆ１を調整する。当該目標電圧値は、任意に設定される。直流電圧ｆＤＣ１が目標電圧値に調整されることで、出力される交流電圧ｆＡＣが安定する。一例として、周波数制御部ＡＣは、交流電圧ｆ１の周波数を変えることにより、直流電圧ｆＤＣ１を目標電圧値に調整する。あるいは、周波数制御部ＡＣは、交流電圧ｆ１の振幅を変えることにより、直流電圧ｆＤＣ１を目標電圧値に調整する。あるいは、周波数制御部ＡＣは、交流電圧ｆ１のデューティー比を変えることにより、直流電圧ｆＤＣ１を目標電圧値に調整する。当該デューティー比は、交流電圧ｆ１をＯＮにする時間と交流電圧ｆ１をＯＦＦにする時間とを調整することにより変えられる。
【００６７】
周波数制御部ＤＣは、変換回路Ｔ２からフィードバックされた直流電圧ｆＤＣ２が目標電圧値になるように交流電圧ｆ２を調整する。当該目標電圧値は、任意に設定される。直流電圧ｆＤＣ２が目標電圧値に調整されることで、出力される直流電圧ｆＤＣ２が安定する。一例として、周波数制御部ＤＣは、交流電圧ｆ２の周波数を変えることにより、直流電圧ｆＤＣ２を目標電圧値に調整する。あるいは、周波数制御部ＤＣは、交流電圧ｆ２の振幅を変えることにより、直流電圧ｆＤＣ２を目標電圧値に調整する。あるいは、周波数制御部ＤＣは、交流電圧ｆ２のデューティー比を変えることにより、直流電圧ｆＤＣ２を目標電圧値に調整する。当該デューティー比は、交流電圧ｆ２をＯＮにする時間とＯＦＦにする時間とを調整することにより変えられる。
【００６８】
検知部５６（電流検知部）は、二次巻線Ｗ２に流れる電流を検知し、当該電流の大きさに応じた検知信号をバンドパスフィルタＦ１０に出力する。当該検知信号は、重畳電圧ｆ’に連動するため、当該検知信号には交流電圧ｆ１，ｆ２の交流成分が含まれる。
【００６９】
ある局面において、バンドパスフィルタＦ１０（第３フィルタ）は、検知部５６による検知信号の交流成分の内、交流電圧ｆ１と同じ周波数の交流成分を通過させる。一例として、バンドパスフィルタＦ１０は、たとえば、１ｋＨｚの検知信号を通過させる。
【００７０】
他の局面において、バンドパスフィルタＦ１０は、検知部５６による検知信号の交流成分の内、交流電圧ｆ２と同じ周波数の交流成分を通過させる。バンドパスフィルタＦ１０は、たとえば、３０ｋＨｚの検知信号を通過させる。
【００７１】
バンドパスフィルタＦ１０を通過した上記検知信号は、制御装置５１に出力される。制御装置５１は、当該検知信号から電流値を算出し、当該電流値が所定電流値になるように交流電圧ｆ１または交流電圧ｆ２を調整する。一例として、検知信号が大きいほど電流値は大きくなり、検知信号が小さいほど電流値は小さくなる。交流電圧ｆ１または交流電圧ｆ２が調整されることで、二次巻線Ｗ２に流れる電流が安定する。
【００７２】
なお、図２の例では、電源装置５０が１つの変圧器５４で構成されている例が示されているが、電源装置５０は複数の変圧器５４で構成されてもよい。この場合、変圧器５４の各々が一次巻線Ｗ１と二次巻線Ｗ２とを含むため、電源装置５０は、複数の一次巻線Ｗ１と複数の二次巻線Ｗ２とで構成される。このように、一次巻線Ｗ１の数は１つに限定されず、二次巻線Ｗ２の数は１つに限定されない。
【００７３】
（現像ローラー１４用の電源装置５０）
図３を参照して、現像ローラー１４（図１参照）に電圧を供給する電源装置５０について説明する。図３は、電源装置５０の回路構成の第１変形例を示す図である。
【００７４】
本例における電源装置５０は、１つの変圧器５４から、１つの直流電圧と４つの異なる交流電圧とを出力することができる。電源装置５０は、各交流電圧に直流電圧を重畳し、各重畳電圧を対応する現像ローラー１４に印加する。電源装置５０は、１つの変圧器５４で複数の異なる交流電圧を出力することができるので、電源装置５０の構成が簡素化され、電源装置５０の小型化および低コスト化が実現される。
【００７５】
図３に示されるように、電源装置５０は、制御装置５１と、変圧器５４と、増幅器Ｄと、バンドパスフィルタＦ１〜Ｆ５と、変換回路Ｔ１〜Ｔ５と、コンデンサーＣ１〜Ｃ４と、加算器Ａ１〜Ａ４とで構成されている。制御装置５１は、周波数制御部ＡＣ，ＤＣ２〜ＤＣ５と、加算器Ａ０とで構成されている。
【００７６】
周波数制御部ＡＣは、所定周波数の交流電圧ｆ１を生成する。交流電圧ｆ１は、たとえば矩形波である。交流電圧ｆ１の周波数は、たとえば、５ｋＨｚである。周波数制御部ＡＣは、ＯＮ信号を受けた場合に交流電圧ｆ１を生成し、ＯＦＦ信号を受けた場合に交流電圧ｆ１の生成を停止する。交流電圧ｆ１は、加算器Ａ０に出力される。
【００７７】
周波数制御部ＤＣ２は、所定周波数の交流電圧ｆ２を生成する。交流電圧ｆ２の周波数は、たとえば、１００ｋＨｚである。周波数制御部ＤＣ２は、ＯＮ信号を受けた場合に交流電圧ｆ２を生成し、ＯＦＦ信号を受けた場合に交流電圧ｆ２の生成を停止する。交流電圧ｆ２は、加算器Ａ０に出力される。
【００７８】
周波数制御部ＤＣ３は、所定周波数の交流電圧ｆ３を生成する。交流電圧ｆ３の周波数は、たとえば、２００ｋＨｚである。周波数制御部ＤＣ３は、ＯＮ信号を受けた場合に交流電圧ｆ３を生成し、ＯＦＦ信号を受けた場合に交流電圧ｆ３の生成を停止する。交流電圧ｆ３は、加算器Ａ０に出力される。
【００７９】
周波数制御部ＤＣ４は、所定周波数の交流電圧ｆ４を生成する。交流電圧ｆ４の周波数は、たとえば、３００ｋＨｚである。周波数制御部ＤＣ４は、ＯＮ信号を受けた場合に交流電圧ｆ４を生成し、ＯＦＦ信号を受けた場合に交流電圧ｆ４の生成を停止する。交流電圧ｆ４は、加算器Ａ０に出力される。
【００８０】
周波数制御部ＤＣ５は、所定周波数の交流電圧ｆ５を生成する。交流電圧ｆ５の周波数は、たとえば、４００ｋＨｚである。周波数制御部ＤＣ５は、ＯＮ信号を受けた場合に交流電圧ｆ５を生成し、ＯＦＦ信号を受けた場合に交流電圧ｆ５の生成を停止する。交流電圧ｆ５は、加算器Ａ０に出力される。
【００８１】
好ましくは、矩形波である交流電圧ｆ１が交流電圧ｆ２〜ｆ５に影響を及ぼさないように、周波数制御部ＡＣは、交流電圧ｆ１の立ち上がり時間を遅らす。また、交流電圧ｆ１〜ｆ５は互いに影響を及ばさないように、交流電圧ｆ１〜ｆ５の各周波数帯域の間隔が空けられる。
【００８２】
加算器Ａ０は、交流電圧ｆ１〜ｆ５を重畳し、重畳電圧ｆを生成する。重畳電圧ｆは、増幅器Ｄに増幅された上で変圧器５４に出力される。
【００８３】
変圧器５４は、一次巻線Ｗ１と、二次巻線Ｗ２とで構成されている。変圧器５４は、重畳電圧ｆを重畳電圧ｆ’に増幅する。重畳電圧ｆ’は、バンドパスフィルタＦ１〜Ｆ５のそれぞれに出力される。
【００８４】
交流電圧ｆ１は矩形波であり、交流電圧ｆ１の波形を歪ませないように、バンドパスフィルタＦ１は、重畳電圧ｆ’の交流成分の内、交流電圧ｆ１が含有する高調波成分の交流成分も通過させる必要がある。一例として、バンドパスフィルタＦ１は、５ｋＨｚの矩形波の場合、５０ｋＨｚの交流電圧まで通過させるローパスフィルタで構成している。バンドパスフィルタＦ１を通過した重畳電圧ｆ’は、出力電圧ｆ１’として、変換回路Ｔ１およびコンデンサーＣ１〜Ｃ４に出力される。
【００８５】
バンドパスフィルタＦ２は、重畳電圧ｆ’の交流成分の内、交流電圧ｆ２と同じ周波数の交流成分を通過させる。一例として、バンドパスフィルタＦ２は、１００ｋＨｚの交流電圧を通過させる。バンドパスフィルタＦ２を通過した重畳電圧ｆ’は、出力電圧ｆ２’として変換回路Ｔ２に出力される。
【００８６】
バンドパスフィルタＦ３は、重畳電圧ｆ’の交流成分の内、交流電圧ｆ３と同じ周波数の交流成分を通過させる。一例として、バンドパスフィルタＦ３は、２００ｋＨｚの交流電圧を通過させる。バンドパスフィルタＦ３を通過した重畳電圧ｆ’は、出力電圧ｆ３’として変換回路Ｔ３に出力される。
【００８７】
バンドパスフィルタＦ４は、重畳電圧ｆ’の交流成分の内、交流電圧ｆ４と同じ周波数の交流成分を通過させる。一例として、バンドパスフィルタＦ４は、３００ｋＨｚの交流電圧を通過させる。バンドパスフィルタＦ４を通過した重畳電圧ｆ’は、出力電圧ｆ４’として変換回路Ｔ４に出力される。
【００８８】
バンドパスフィルタＦ５は、重畳電圧ｆ’の交流成分の内、交流電圧ｆ５と同じ周波数の交流成分を通過させる。一例として、バンドパスフィルタＦ５は、４００ｋＨｚの交流電圧を通過させる。バンドパスフィルタＦ５を通過した重畳電圧ｆ’は、出力電圧ｆ５’として変換回路Ｔ５に出力される。
【００８９】
コンデンサーＣ１〜Ｃ４は、たとえば、カップリングコンデンサーである。コンデンサーＣ１は、出力電圧ｆ１’の直流成分を除去し、交流電圧ｆＡＣ１を加算器Ａ１に出力する。コンデンサーＣ２は、出力電圧ｆ１’の直流成分を除去し、交流電圧ｆＡＣ２を加算器Ａ２に出力する。コンデンサーＣ３は、出力電圧ｆ１’の直流成分を除去し、交流電圧ｆＡＣ３を加算器Ａ３に出力する。コンデンサーＣ４は、出力電圧ｆ１’の直流成分を除去し、交流電圧ｆＡＣ４を加算器Ａ４に出力する。
【００９０】
変換回路Ｔ１は、出力電圧ｆ１’を整流および平滑し、直流電圧ｆＤＣ１を出力する。直流電圧ｆＤＣ１は、周波数制御部ＡＣにフィードバックされる。周波数制御部ＡＣは、直流電圧ｆＤＣ１が目標電圧値になるように交流電圧ｆ１を調整する。これにより、出力電圧ｆ１’が安定する。
【００９１】
変換回路Ｔ２は、出力電圧ｆ２’を整流および平滑し、加算器Ａ１に直流電圧ｆＤＣ２を出力する。また、直流電圧ｆＤＣ２は、周波数制御部ＤＣ２にフィードバックされる。周波数制御部ＤＣ２は、直流電圧ｆＤＣ２が目標電圧値になるように交流電圧ｆ２を調整する。これにより、出力される直流電圧ｆＤＣ２が安定する。
【００９２】
変換回路Ｔ３は、出力電圧ｆ３’を整流および平滑し、加算器Ａ２に直流電圧ｆＤＣ３を出力する。また、直流電圧ｆＤＣ３は、周波数制御部ＤＣ３にフィードバックされる。周波数制御部ＤＣ３は、直流電圧ｆＤＣ３が目標電圧値になるように交流電圧ｆ３を調整する。これにより、出力される直流電圧ｆＤＣ３が安定する。
【００９３】
変換回路Ｔ４は、出力電圧ｆ４’を整流および平滑し、加算器Ａ３に直流電圧ｆＤＣ４を出力する。また、直流電圧ｆＤＣ４は、周波数制御部ＤＣ４にフィードバックされる。周波数制御部ＤＣ４は、直流電圧ｆＤＣ４が目標電圧値になるように交流電圧ｆ４を調整する。これにより、出力される直流電圧ｆＤＣ４が安定する。
【００９４】
変換回路Ｔ５は、出力電圧ｆ５’を整流および平滑し、加算器Ａ４に直流電圧ｆＤＣ５を出力する。また、直流電圧ｆＤＣ５は、周波数制御部ＤＣ５にフィードバックされる。周波数制御部ＤＣ５は、直流電圧ｆＤＣ５が目標電圧値になるように交流電圧ｆ５を調整する。これにより、出力される直流電圧ｆＤＣ５が安定する。
【００９５】
加算器Ａ１は、交流電圧ｆＡＣ１と直流電圧ｆＤＣ２とを重畳する。それらを重畳した出力電圧は、たとえば、イエローのトナー像を現像する現像ローラー１４（図１参照）に印加される。加算器Ａ２は、交流電圧ｆＡＣ２と直流電圧ｆＤＣ３とを重畳する。それらを重畳した出力電圧は、たとえば、マゼンタのトナー像を現像する現像ローラー１４に印加される。加算器Ａ３は、交流電圧ｆＡＣ３と直流電圧ｆＤＣ４とを重畳する。それらを重畳した出力電圧は、たとえば、シアンのトナー像を現像する現像ローラー１４に印加される。加算器Ａ４は、交流電圧ｆＡＣ４と直流電圧ｆＤＣ５とを重畳する。それらを重畳した出力電圧は、たとえば、ブラックのトナー像を現像する現像ローラー１４に印加される。
【００９６】
（一次転写ローラー３１用の電源装置５０）
図４を参照して、一次転写ローラー３１（図１参照）に電圧を供給する電源装置５０について説明する。図４は、電源装置５０の回路構成の第２変形例を示す図である。
【００９７】
本例における電源装置５０は、１つの変圧器５４から４つの異なる交流電圧を出力することができる。各交流電圧は、対応する一次転写ローラー３１に出力される。電源装置５０が１つの変圧器５４で構成されることにより、電源装置５０の構成が簡素化され、電源装置５０の小型化および低コスト化が実現される。
【００９８】
図４に示されるように、電源装置５０は、制御装置５１と、変圧器５４と、検知部５６よ、増幅器Ｄと、バンドパスフィルタＦ２〜Ｆ５と、変換回路Ｔ２〜Ｔ５と、バンドパスフィルタＦ２〜Ｆ５，Ｆ１２〜Ｆ１５と、変換回路Ｔ２〜Ｔ５とで構成されている。制御装置５１は、周波数制御部ＤＣ２〜ＤＣ５と、加算器Ａ０とで構成されている。
【００９９】
周波数制御部ＤＣ２は、所定周波数の交流電圧ｆ２を生成する。交流電圧ｆ２の周波数は、たとえば、１００ｋＨｚである。交流電圧ｆ２は、加算器Ａ０に出力される。
【０１００】
周波数制御部ＤＣ３は、所定周波数の交流電圧ｆ３を生成する。交流電圧ｆ３の周波数は、たとえば、２００ｋＨｚである。交流電圧ｆ３は、加算器Ａ０に出力される。
【０１０１】
周波数制御部ＤＣ４は、所定周波数の交流電圧ｆ４を生成する。交流電圧ｆ４の周波数は、たとえば、３００ｋＨｚである。交流電圧ｆ４は、加算器Ａ０に出力される。
【０１０２】
周波数制御部ＤＣ５は、所定周波数の交流電圧ｆ５を生成する。交流電圧ｆ５の周波数は、たとえば、４００ｋＨｚである。交流電圧ｆ５は、加算器Ａ０に出力される。
【０１０３】
加算器Ａ０は、交流電圧ｆ２〜ｆ５を重畳し、重畳電圧ｆを生成する。重畳電圧ｆは、増幅器Ｄに増幅された上で変圧器５４に出力される。
【０１０４】
変圧器５４は、一次巻線Ｗ１と、二次巻線Ｗ２とで構成されている。変圧器５４は、重畳電圧ｆを重畳電圧ｆ’に増幅する。重畳電圧ｆ’は、バンドパスフィルタＦ２〜Ｆ５のそれぞれに出力される。
【０１０５】
バンドパスフィルタＦ２は、重畳電圧ｆ’の交流成分の内、交流電圧ｆ２と同じ周波数の交流成分を通過させる。一例として、バンドパスフィルタＦ２は、１００ｋＨｚの交流電圧を通過させる。バンドパスフィルタＦ２を通過した重畳電圧ｆ’は、出力電圧ｆ２’として変換回路Ｔ２に出力される。
【０１０６】
バンドパスフィルタＦ３は、重畳電圧ｆ’の交流成分の内、交流電圧ｆ３と同じ周波数の交流成分を通過させる。一例として、バンドパスフィルタＦ３は、２００ｋＨｚの交流電圧を通過させる。バンドパスフィルタＦ３を通過した重畳電圧ｆ’は、出力電圧ｆ３’として変換回路Ｔ３に出力される。
【０１０７】
バンドパスフィルタＦ４は、重畳電圧ｆ’の交流成分の内、交流電圧ｆ４と同じ周波数の交流成分を通過させる。一例として、バンドパスフィルタＦ４は、３００ｋＨｚの交流電圧を通過させる。バンドパスフィルタＦ４を通過した重畳電圧ｆ’は、出力電圧ｆ４’として変換回路Ｔ４に出力される。
【０１０８】
バンドパスフィルタＦ５は、重畳電圧ｆ’の交流成分の内、交流電圧ｆ５と同じ周波数の交流成分を通過させる。一例として、バンドパスフィルタＦ５は、４００ｋＨｚの交流電圧を通過させる。バンドパスフィルタＦ５を通過した重畳電圧ｆ’は、出力電圧ｆ５’として変換回路Ｔ５に出力される。
【０１０９】
変換回路Ｔ２は、出力電圧ｆ２’を整流および平滑し、直流電圧ｆＤＣ２を出力する。直流電圧ｆＤＣ２は、イエロー用の一次転写ローラー３１に出力される。また、直流電圧ｆＤＣ２は、周波数制御部ＤＣ２にフィードバックされる。周波数制御部ＤＣ２は、直流電圧ｆＤＣ２が目標電圧値になるように交流電圧ｆ２を調整する。これにより、直流電圧ｆＤＣ２が安定する。
【０１１０】
変換回路Ｔ３は、出力電圧ｆ３’を整流および平滑し、直流電圧ｆＤＣ３を出力する。直流電圧ｆＤＣ３は、マゼンタ用の一次転写ローラー３１に出力される。また、直流電圧ｆＤＣ３は、周波数制御部ＤＣ３にフィードバックされる。周波数制御部ＤＣ３は、直流電圧ｆＤＣ３が目標電圧値になるように交流電圧ｆ３を調整する。これにより、直流電圧ｆＤＣ３が安定する。
【０１１１】
変換回路Ｔ４は、出力電圧ｆ４’を整流および平滑し、直流電圧ｆＤＣ４を出力する。直流電圧ｆＤＣ４は、シアン用の一次転写ローラー３１に出力される。また、直流電圧ｆＤＣ４は、周波数制御部ＤＣ４にフィードバックされる。周波数制御部ＤＣ４は、直流電圧ｆＤＣ４が目標電圧値になるように交流電圧ｆ４を調整する。これにより、直流電圧ｆＤＣ４が安定する。
【０１１２】
変換回路Ｔ５は、出力電圧ｆ５’を整流および平滑し、直流電圧ｆＤＣ５を出力する。直流電圧ｆＤＣ５は、ブラック用の一次転写ローラー３１に出力される。直流電圧ｆＤＣ５は、周波数制御部ＤＣ５にフィードバックされる。周波数制御部ＤＣ５は、直流電圧ｆＤＣ５が目標電圧値になるように交流電圧ｆ５を調整する。これにより、直流電圧ｆＤＣ５が安定する。
【０１１３】
検知部５６は、二次巻線Ｗ２に流れる電流を順次検知し、当該電流の大きさを表わす検知信号を出力する。当該検知信号は、バンドパスフィルタＦ１２〜Ｆ１５のそれぞれに出力される。当該検知信号は重畳電圧ｆ’の電圧の大きさに連動するため、当該検知信号には交流電圧ｆ１〜ｆ５と同一の周波数成分が含まれる。
【０１１４】
バンドパスフィルタＦ１２は、検知部５６から出力される検知信号の交流成分の内、交流電圧ｆ１と同じ周波数の交流成分を通過させる。一例として、バンドパスフィルタＦ１２は、１００ｋＨｚの検知信号を通過させる。バンドパスフィルタＦ１２を通過した検知信号は、周波数制御部ＤＣ２に出力される。周波数制御部ＤＣ２は、バンドパスフィルタＦ１２を通過した検知信号から電流値を算出し、当該電流値が所定の目標電流値になるように交流電圧ｆ２を調整する。一例として、当該電流値は、一定時間内に検知された検知信号の大きさの平均として算出される。これにより、変圧器５４の二次側の回路に流れる電流が安定する。
【０１１５】
このように、周波数制御部ＤＣ２は、検知部５６による検知結果に基づいて変圧器５４の二次側の回路に流れる電流を安定させることもできるし、フィードバックされた直流電圧ｆＤＣ２に基づいて交流電圧ｆ２を調整することにより直流電圧ｆＤＣ２を安定させることもできる。
【０１１６】
好ましくは、周波数制御部ＤＣ２は、電源装置５０の制御モードの設定を受け付けるように構成されている。当該制御モードは、電流変動を抑制するための電流制御モードと、電圧変動を抑制するための電圧制御モードとを含む。電圧制御モードに設定される場合には、制御信号ＣＶが周波数制御部ＤＣ２に出力される。電流制御モードに設定される場合には、制御信号ＣＣが周波数制御部ＤＣ２に出力される。周波数制御部ＤＣ２は、電圧制御モードにおいては、直流電圧ｆＤＣ１の大きさが目標電圧値（所定電圧値）になるように交流電圧ｆ２を調整する。周波数制御部ＤＣ２は、電流制御モードにおいて、バンドパスフィルタＦ１２（第３フィルタ）を通過した検知信号に基づいて算出された電流値が目標電流値（所定電流値）になるように交流電圧ｆ２を調整する。
【０１１７】
好ましくは、周波数制御部ＤＣ２は、目標電圧値（所定電圧値）および目標電流値（所定電流値）の少なくとも一方の設定を受け付けるように構成されている。これにより、電源装置５０は、電流制御モードにおいて任意の電流値で出力電流を安定させることができ、電圧制御モードにおいて任意の電圧値で出力電圧を安定させることができる。
【０１１８】
バンドパスフィルタＦ１３は、検知部５６から出力される検知信号の交流成分の内、交流電圧ｆ３と同じ周波数の交流成分を通過させる。一例として、バンドパスフィルタＦ１３は、３００ｋＨｚの検知信号を通過させる。バンドパスフィルタＦ１３を通過した検知信号は、周波数制御部ＤＣ３に出力される。周波数制御部ＤＣ３は、周波数制御部ＤＣ１と同様に、バンドパスフィルタＦ１３を通過した検知信号から電流値を算出し、当該電流値が所定の目標電流値になるように交流電圧ｆ３を調整する。
【０１１９】
バンドパスフィルタＦ１４は、検知部５６から出力される検知信号の交流成分の内、交流電圧ｆ４と同じ周波数の交流成分を通過させる。一例として、バンドパスフィルタＦ１４は、４００ｋＨｚの検知信号を通過させる。バンドパスフィルタＦ１４を通過した検知信号は、周波数制御部ＤＣ４に出力される。周波数制御部ＤＣ４は、周波数制御部ＤＣ１と同様に、バンドパスフィルタＦ１４を通過した検知信号から電流値を算出し、当該電流値が所定の目標電流値になるように交流電圧ｆ４を調整する。
【０１２０】
バンドパスフィルタＦ１５は、検知部５６から出力される検知信号の交流成分の内、交流電圧ｆ５と同じ周波数の交流成分を通過させる。一例として、バンドパスフィルタＦ１５は、５００ｋＨｚの検知信号を通過させる。バンドパスフィルタＦ１５を通過した検知信号は、周波数制御部ＤＣ５に出力される。周波数制御部ＤＣ５は、周波数制御部ＤＣ１と同様に、バンドパスフィルタＦ１５を通過した検知信号から電流値を算出し、当該電流値が所定の目標電流値になるように交流電圧ｆ５を調整する。周波数制御部ＤＣ５は、周波数制御部ＤＣ１と同様に、制御モードの設定を受け付ける。
【０１２１】
なお、検知部５６による出力電流の検知方法は、図４の例に限定されない。図５を参照して、出力電流の他の検知方法について説明する。図５は、電流検知回路６０の一例を示す図である。電流検知回路６０は、変換回路Ｔ２〜Ｔ５（図４参照）のそれぞれに接続されている。以下では、変換回路Ｔ２に接続されている電流検知回路６０を例に挙げて説明を行なう。
【０１２２】
図５に示されるように、電流検知回路６０は、コンデンサーＣ５１，Ｃ５２と、ダイオードＤ５１，Ｄ５２と、検知部５６とを含む。電流検知回路６０Ａには、負荷Ｒ５１が接続されている。負荷Ｒ５１は、たとえば、イエロー用の一次転写ローラー３１（図１参照）である。
【０１２３】
コンデンサーＣ５１は、変換回路Ｔ２（図４参照）とノードＮ５１とに電気的に接続されている。コンデンサーＣ５２は、ノードＮ５２とノードＮ５４とに電気的に接続されている。
【０１２４】
ダイオードＤ５１は、ノードＮ５１とノードＮ５２とに電気的に接続されている。ダイオードＤ５２は、ノードＮ５１とノードＮ５４とに電気的に接続されている。
【０１２５】
負荷Ｒ５１は、ノードＮ５２とノードＮ５３とに電気的に接続されている。ノードＮ５３は、グランドに接続されている。検知部５６は、ノードＮ５３とノードＮ５４とに電気的に接続されている。
【０１２６】
検知部５６は、負荷Ｒ５１に流れる電流の大きさを検知する。検知部５６の検知結果は、周波数制御部ＤＣ２（図４参照）にフィードバックされる。周波数制御部ＤＣ２は、電流制御モードにおいて、検知部５６から出力される検知信号に基づいて算出された電流値が目標電流値になるように交流電圧ｆ２（図４参照）を調整する。これにより、イエロー用の一次転写ローラー３１に流れる電流が安定する。
【０１２７】
（二次転写ローラー３３用の電源装置５０）
図６を参照して、二次転写ローラー３３（図１参照）に電圧を供給する電源装置５０について説明する。図６は、電源装置５０の回路構成の第３変形例を示す図である。
【０１２８】
本例における電源装置５０は、１つの変圧器５４から、プラス極性の直流電圧と、マイナス極性の直流電圧とのいずれかを出力することができる。電源装置５０は、トナー像を用紙に転写するときには、プラス極性の直流電圧を二次転写ローラー３３に印加する。電源装置５０は、二次転写ローラー３３のクリーニング時には、マイナス極性の直流電圧を二次転写ローラー３３に印加する。電源装置５０は、１つの変圧器５４で極性が異なる複数の直流電圧を出力することができるので、電源装置５０の構成が簡素化され、電源装置５０の小型化および低コスト化が実現される。
【０１２９】
図６に示されるように、電源装置５０は、制御装置５１と、変圧器５４と、検知部５６と、増幅器Ｄと、バンドパスフィルタＦ１，Ｆ２，Ｆ１０と、変換回路Ｔ１，Ｔ２とで構成されている。制御装置５１は、周波数制御部ＤＣ２，ＤＣ３と、加算器Ａ０とで構成されている。
【０１３０】
周波数制御部ＤＣ２は、所定周波数の交流電圧ｆ２を生成する。交流電圧ｆ２の周波数は、たとえば、１００ｋＨｚである。周波数制御部ＤＣ２は、ＯＮ信号を受けた場合に交流電圧ｆ２を生成し、ＯＦＦ信号を受けた場合に交流電圧ｆ２の生成を停止する。
【０１３１】
周波数制御部ＤＣ３は、所定周波数の交流電圧ｆ３を生成する。交流電圧ｆ３の周波数は、たとえば、２００ｋＨｚである。周波数制御部ＤＣ３は、ＯＮ信号を受けた場合に交流電圧ｆ３を生成し、ＯＦＦ信号を受けた場合に交流電圧ｆ３の生成を停止する。
【０１３２】
一例として、プラス極性の出力電圧の生成時に、ＯＮ信号が周波数制御部ＤＣ２に入力され、ＯＦＦ信号が周波数制御部ＤＣ３に入力される。マイナス極性の出力電圧の生成時に、ＯＦＦ信号が周波数制御部ＤＣ２に入力され、ＯＮ信号が周波数制御部ＤＣ３に入力される。
【０１３３】
加算器Ａ０は、交流電圧ｆ２，ｆ３を重畳し、重畳電圧ｆを生成する。重畳電圧ｆは、増幅器Ｄに増幅された上で変圧器５４に出力される。
【０１３４】
変圧器５４は、一次巻線Ｗ１と、二次巻線Ｗ２とで構成されている。変圧器５４は、重畳電圧ｆを重畳電圧ｆ’に増幅する。重畳電圧ｆ’は、バンドパスフィルタＦ２，Ｆ３のそれぞれに出力される。
【０１３５】
バンドパスフィルタＦ２は、重畳電圧ｆ’の交流成分の内、交流電圧ｆ２と同じ周波数の交流成分を通過させる。一例として、バンドパスフィルタＦ２は、１００ｋＨｚの交流電圧を通過させる。バンドパスフィルタＦ２を通過した重畳電圧ｆ’は、出力電圧ｆ２’として変換回路Ｔ２に出力される。
【０１３６】
バンドパスフィルタＦ３は、重畳電圧ｆ’の交流成分の内、交流電圧ｆ３と同じ周波数の交流成分を通過させる。一例として、バンドパスフィルタＦ３は、２００ｋＨｚの交流電圧を通過させる。バンドパスフィルタＦ３を通過した重畳電圧ｆ’は、出力電圧ｆ３’として変換回路Ｔ３に出力される。
【０１３７】
変換回路Ｔ２は、出力電圧ｆ２’を整流および平滑し、二次転写ローラー３３にプラス極性の直流電圧ｆＤＣ２を出力する。また、直流電圧ｆＤＣ２は、周波数制御部ＤＣ２にフィードバックされる。周波数制御部ＤＣ２は、直流電圧ｆＤＣ２が目標電圧値になるように交流電圧ｆ２を調整する。これにより、直流電圧ｆＤＣ２が安定する。
【０１３８】
変換回路Ｔ３は、出力電圧ｆ３’を整流および平滑し、二次転写ローラー３３にマイナス極性の直流電圧ｆＤＣ３を出力する。また、直流電圧ｆＤＣ３は、周波数制御部ＤＣ３にフィードバックされる。周波数制御部ＤＣ３は、直流電圧ｆＤＣ３が目標電圧値になるように交流電圧ｆ３を調整する。これにより、直流電圧ｆＤＣ３が安定する。
【０１３９】
検知部５６は、二次巻線Ｗ２に流れる電流を検知し、当該電流の大きさに応じた検知信号をバンドパスフィルタＦ１０に出力する。当該検知信号は、重畳電圧ｆ’に連動するため、交流電圧ｆ２と同一の周波数成分と、交流電圧ｆ３と同一の周波数成分とを含む。
【０１４０】
ある局面において、バンドパスフィルタＦ１０は、検知部５６による検知信号の交流成分の内、交流電圧ｆ２と同じ周波数の交流成分を通過させる。一例として、バンドパスフィルタＦ１０は、たとえば、１００ｋＨｚの検知信号を通過させる。
【０１４１】
他の局面において、バンドパスフィルタＦ１０は、検知部５６による検知信号の交流成分の内、交流電圧ｆ３と同じ周波数の交流成分を通過させる。バンドパスフィルタＦ１０は、たとえば、２００ｋＨｚの検知信号を通過させる。
【０１４２】
なお、検知部５６による出力電流の検知方法は、図６の例に限定されない。図７を参照して、検知部５６による出力電流の他の検知方法について説明する。図７は、出力電流の電流検知回路６０Ａの一例を示す図である。電流検知回路６０Ａは、バンドパスフィルタＦ２，Ｆ３（図６参照）に接続されている。
【０１４３】
電流検知回路６０Ａは、変換回路Ｔ２，Ｔ３と、検知部５６とで構成されている。電流検知回路６０Ａには、負荷Ｒ７１が接続されている。負荷Ｒ７１は、たとえば、二次転写ローラー３３（図１参照）である。
【０１４４】
変換回路Ｔ２は、コンデンサーＣ７１，Ｃ７２と、ダイオードＤ７１，Ｄ７２と、抵抗Ｒ７２とで構成されている。コンデンサーＣ７１は、バンドパスフィルタＦ２（図６参照）とノードＮ７１とに接続されている。コンデンサーＣ７２は、ノードＮ７２とノードＮ７３とに接続されている。ダイオードＤ７１は、ノードＮ７１とノードＮ７２とに接続されている。ダイオードＤ７２は、ノードＮ７１とノードＮ７５とに接続されている。抵抗Ｒ７２は、高圧抵抗であり、ノードＮ７３とノードＮ７４とに接続されている。
【０１４５】
変換回路Ｔ３は、ダイオードＤ７３と、コンデンサーＣ７３と、抵抗Ｒ７３とで構成されている。ダイオードＤ７３は、バンドパスフィルタＦ３（図６参照）とノードＮ７６とに接続されている。抵抗Ｒ７３は、高圧抵抗であり、ノードＮ７６とノードＮ７７とに接続されている。コンデンサーＣ７３は、ノードＮ７６とノードＮ７７とに接続されている。
【０１４６】
検知部５６は、負荷Ｒ７１に流れる電流の大きさを検知する。ある局面において、検知部５６の検知結果は、周波数制御部ＤＣ２（図６参照）にフィードバックされる。周波数制御部ＤＣ２は、電流制御モードにおいて、検知部５６から出力される検知信号に基づいて算出された電流値が目標電流値になるように交流電圧ｆ２（図６参照）を調整する。他の局面において、検知部５６の検知結果は、周波数制御部ＤＣ３（図６参照）にフィードバックされる。周波数制御部ＤＣ３は、電流制御モードにおいて、検知部５６から出力される検知信号に基づいて算出された電流値が目標電流値になるように交流電圧ｆ３（図６参照）を調整する。
【０１４７】
［入力信号］
図８を参照して、制御装置５１から出力される入力信号について説明する。図８は、入力信号の一例を示す図である。
【０１４８】
時刻ｔ１において、制御装置５１の周波数制御部ＡＣ（図２参照）は、ＯＮ信号の入力を受け付けたとする。これにより、周波数制御部ＡＣは、１ｋＨｚの交流電圧を出力し、１ｋＨｚの交流電圧が入力信号として一次巻線Ｗ１に印加される。
【０１４９】
時刻ｔ２において、制御装置５１の周波数制御部ＤＣ（図２参照）は、ＯＮ信号の入力を受け付けたとする。これにより、周波数制御部ＤＣは、３０ｋＨｚの交流電圧を出力する。その結果、１ｋＨｚの交流電圧と３０ｋＨｚの交流電圧とが重畳され、入力信号として重畳電圧が一次巻線Ｗ１に出力される。
【０１５０】
時刻ｔ３において、制御装置５１の周波数制御部ＤＣは、目標電圧値の変更を受け付けたとする。一例として、新たな目標電圧値は、現在の設定値よりも小さいとする。これにより、周波数制御部ＤＣは、出力する交流電圧の振幅を下げる。その結果、重畳電圧の交流成分の内、３０ｋＨｚの交流成分の振幅が下げられる。
【０１５１】
時刻ｔ４において、制御装置５１の周波数制御部ＤＣは、ＯＦＦ信号の入力を受け付けたとする。これにより、周波数制御部ＤＣは、３０ｋＨｚの交流電圧の出力を停止する。
【０１５２】
時刻ｔ５において、制御装置５１の周波数制御部ＡＣは、目標電圧値の変更を受け付けたとする。一例として、新たな目標電圧値は、現在の設定値よりも小さいとする。これにより、周波数制御部ＡＣは、出力する交流電圧の振幅を下げる。
【０１５３】
時刻ｔ６において、制御装置５１の周波数制御部ＡＣは、ＯＦＦ信号の入力を受け付けたとする。これにより、周波数制御部ＡＣは、１ｋＨｚの交流電圧の出力を停止する。
【０１５４】
［バンドパスフィルタ］
図９を参照して、上述のバンドパスフィルタＦ１〜Ｆ５，Ｆ１０〜Ｆ１５について説明する。以下では、バンドパスフィルタＦ１〜Ｆ５，Ｆ１０〜Ｆ１５の少なくとも１つをバンドパスフィルタＦともいう。図９は、バンドパスフィルタＦの回路構成の一例を示す図である。
【０１５５】
図９Ａには、ローパスフィルタとしてのバンドパスフィルタＦが示されている。図９Ａに示されるように、ローパスフィルタとしてのバンドパスフィルタＦは、コイルＬ９１と、コンデンサーＣ９１とで構成されている。コイルＬ９１は、ノードＮ９１とノードＮ９２とに接続されている。コンデンサーＣ９１は、ノードＮ９２とグランドとに接続されている。その結果、伝達特性９１に示されるように、低周波成分のゲインが高周波成分のゲインよりも高くなる。
【０１５６】
図９Ｂには、ハイパスフィルタとしてのバンドパスフィルタＦが示されている。図９Ｂに示されるように、ハイパスフィルタとしてのバンドパスフィルタＦは、コンデンサーＣ９２と、コイルＬ９２とで構成されている。コンデンサーＣ９２は、ノードＮ９３とノードＮ９４とに接続されている。コイルＬ９２は、ノードＮ９２とグランドとに接続されている。その結果、伝達特性９２に示されるように、高周波成分のゲインが低周波成分のゲインよりも高くなる。
【０１５７】
図９Ｃには、所定周波数の交流電圧を通過させるバンドパスフィルタＦが示されている。当該バンドパスフィルタＦは、図９Ａに示されるローパスフィルタと図９Ｂに示されるハイパスフィルタとの組み合わせである。当該バンドパスフィルタＦは、コンデンサーＣ９１，Ｃ９２と、コイルＬ９１，Ｌ９２とで構成されている。コイルＬ９１は、ノードＮ９５とノードＮ９６とに接続されている。コンデンサーＣ９１は、ノードＮ９６とグランドとに接続されている。コンデンサーＣ９２は、ノードＮ９６とノードＮ９７とに接続されている。コイルＬ９２は、ノードＮ９７とグランドとに接続されている。その結果、伝達特性９３に示されるように、周波数ＦＢを含む帯域の交流電圧のゲインが、他の帯域（たとえば、周波数ＦＡ，ＦＣ）の交流電圧におけるゲインよりも高くなる。
【０１５８】
［画像形成装置１００のハードウェア構成］
図１０を参照して、画像形成装置１００のハードウェア構成の一例について説明する。図１０は、画像形成装置１００の主要なハードウェア構成を示すブロック図である。
【０１５９】
図１０に示されるように、画像形成装置１００は、電源装置５０と、制御装置５１と、ＲＯＭ（Read  Only  Memory）１０２と、ＲＡＭ（Random  Access  Memory）１０３と、ネットワークインターフェイス１０４と、操作パネル１０７と、記憶装置１２０とを含む。
【０１６０】
制御装置５１は、たとえば、少なくとも１つの集積回路によって構成される。集積回路は、たとえば、少なくとも１つのＣＰＵ、少なくとも１つのＤＳＰ、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【０１６１】
好ましくは、制御装置５１は、電源装置５０と画像形成装置１００との両方を制御する。すなわち、制御装置５１は、電源装置５０と画像形成装置１００とで共用される。なお、制御装置５１は、電源装置５０と別個に構成されてもよいし、電源装置５０と一体的に構成されてもよい。制御装置５１が電源装置５０と別個に構成されると、電源装置５０の構成がシンプルになる。また、図４の検知部５６より出力される信号を各周波数に分離するバンドパスフィルタＦ１２〜Ｆ１５と、重畳電圧ｆ’を各周波数成分に分離するバンドパスフィルタＦ２〜Ｆ５とが、電圧モニタ用として別個に、上記集積回路内にソフトウェアもしくはハードウェアとして構成されることにより、電源装置５０および制御装置５１を接続する配線と、電源装置５０とがさらにシンプルに構成され得る。
【０１６２】
制御装置５１は、電源装置５０や画像形成装置１００の制御プログラム１２２を実行することで画像形成装置１００の動作を制御する。制御装置５１は、制御プログラム１２２の実行命令を受け付けたことに基づいて、記憶装置１２０からＲＯＭ１０２に制御プログラム１２２を読み出す。ＲＡＭ１０３は、ワーキングメモリとして機能し、制御プログラム１２２の実行に必要な各種データを一時的に格納する。
【０１６３】
ネットワークインターフェイス１０４には、アンテナ（図示しない）などが接続される。画像形成装置１００は、アンテナを介して、外部の通信機器との間でデータをやり取りする。外部の通信機器は、たとえば、スマートフォンなどの携帯通信端末、サーバーなどを含む。画像形成装置１００は、アンテナを介して制御プログラム１２２をサーバーからダウンロードできるように構成されてもよい。
【０１６４】
操作パネル１０７は、ディスプレイとタッチパネルとで構成されている。ディスプレイおよびタッチパネルは互いに重ねられており、操作パネル１０７は、たとえば、画像形成装置１００に対する印刷操作やスキャン操作などを受け付ける。
【０１６５】
記憶装置１２０は、たとえば、ハードディスクや外付けの記憶装置などの記憶媒体である。記憶装置１２０は、画像形成装置１００の制御プログラム１２２などを格納する。制御プログラム１２２の格納場所は記憶装置１２０に限定されず、制御プログラム１２２は、電源装置５０の記憶領域、制御装置５１の記憶領域（たとえば、キャッシュなど）、ＲＯＭ１０２、ＲＡＭ１０３、外部機器（たとえば、サーバー）などに格納されていてもよい。
【０１６６】
制御プログラム１２２は、単体のプログラムとしてではなく、任意のプログラムの一部に組み込まれて提供されてもよい。この場合、本実施の形態に従う制御処理は、任意のプログラムと協働して実現される。このような一部のモジュールを含まないプログラムであっても、本実施の形態に従う制御プログラム１２２の趣旨を逸脱するものではない。さらに、制御プログラム１２２によって提供される機能の一部または全部は、専用のハードウェアによって実現されてもよい。さらに、少なくとも１つのサーバーが制御プログラム１２２の処理の一部を実行する所謂クラウドサービスのような形態で画像形成装置１００が構成されてもよい。
【０１６７】
［小括］
以上のようにして、本実施の形態に従う電源装置５０は、第１周波数の交流電圧と第２周波数の交流電圧とを重畳した重畳電圧を一次巻線Ｗ１に印加する。その結果、二次巻線Ｗ２は、一次巻線Ｗ１による相互誘導により重畳電圧を発生する。当該重畳電圧は、バンドパスフィルタＦ１，Ｆ２に出力される。バンドパスフィルタＦ１は、二次巻線Ｗ２で発生した重畳電圧の交流成分の内、第１周波数の交流成分を通過させる。バンドパスフィルタＦ２は、二次巻線Ｗ２から発生した重畳電圧の交流成分の内、第２周波数の交流成分を通過させる。これにより、電源装置５０は、異なる周波数の電圧を出力することができる。このように、電源装置５０は、１つの一次巻線Ｗ１で複数の異なる周波数の電圧を出力でき、電源装置５０の小型化および低コスト化が実現される。
【０１６８】
好ましくは、電源装置５０は、バンドパスフィルタＦ１，Ｆ２のいずれか一方を通過した交流電圧を直流電圧に変換するための変化回路を備える。その結果、電源装置５０は、直流電圧と交流電圧とを同時に出力することもできるし、用途に合わせて直流電圧または交流電圧を出力することもできる。
【０１６９】
＜第２の実施の形態＞
［概要］
第１の実施の形態に従う電源装置５０は、二次巻線Ｗ２で発生した交流電圧を複数のバンドパスフィルタを用いて所定帯域ごとの交流電圧に分離していた。これに対して、第２の実施の形態に従う電源装置５０Ａは、バンドパスフィルタを用いずに所定帯域ごとの交流電圧を出力する。
【０１７０】
図１１および図１２を参照して、第２の実施の形態に従う変圧器５４Ａについて説明する。図１１は、第２の実施の形態に従う変圧器５４Ａを示す図である。図１２は、変圧器５４Ａの伝達特性を示す図である。
【０１７１】
図１１に示されるように、変圧器５４Ａは、１つの一次巻線Ｗと、２つの二次巻線Ｗ２Ａ，Ｗ２Ｂとで構成される。一次巻線Ｗには、重畳電圧が印加される。このとき、二次巻線Ｗ２Ａには浮遊容量ＣＡ（ストレイキャパシタンス）が生じ、二次巻線Ｗ２Ａには浮遊容量ＣＢが生じる。
【０１７２】
二次巻線Ｗ２Ａの共振周波数ｆ１は以下の式（１）で表わされる。式（１）における「Ｌ１」は、二次巻線Ｗ２Ａの漏洩インダクタンスを表わす。式（１）における「Ｃ１」は、浮遊容量ＣＡの静電容量を表わす。
【０１７３】
ｆ１＝１／２π√（Ｌ１・Ｃ１）・・・（１）
二次巻線Ｗ２Ｂの共振周波数ｆ２は以下の式（２）で表わされる。式（２）における「Ｌ２」は、二次巻線Ｗ２Ｂの漏洩インダクタンスを表わす。式（２）における「Ｃ２」は、浮遊容量ＣＢの静電容量を表わす。
【０１７４】
ｆ２＝１／２π√（Ｌ２・Ｃ２）・・・（２）
図１２には、二次巻線Ｗ２Ａの伝達特性９６と、二次巻線Ｗ２Ｂの伝達特性９７とが示されている。伝達特性は、一次巻線Ｗに印加される交流電圧の周波数と、二次巻線に発生する電圧の大きさとの関係を示す。当該電圧の大きさは、たとえば、一次巻線に印加する電圧に対して二次巻線に発生する電圧の比（すなわち、ゲイン）で表わされる。
【０１７５】
伝達特性９６に示されるように、二次巻線Ｗ２Ａにおいては、共振周波数ｆ１における電圧のゲインが他の周波数よりも高くなる。すなわち、共振周波数ｆ１，ｆ２を含む重畳電圧が一次巻線Ｗに印加されると、共振周波数ｆ１の交流電圧が二次巻線Ｗ２Ａに発生する。
【０１７６】
伝達特性９７に示されるように、二次巻線Ｗ２Ｂにおいては、共振周波数ｆ２における電圧のゲインが他の周波数よりも高くなる。すなわち、共振周波数ｆ１，ｆ２を含む重畳電圧が一次巻線Ｗに印加されると、共振周波数ｆ２の交流電圧が二次巻線Ｗ２Ｂに発生する。
【０１７７】
以上のようにして、第２の実施の形態に従う電源装置５０Ａは、二次巻線の異なる伝達特性を利用して、重畳電圧を複数の異なる周波数の電圧に分離する。
【０１７８】
なお、図１１には、変圧器５４Ａが２つの二次巻線で構成されている例について説明を行なったが、変圧器５４Ａは、３つ以上の二次巻線で構成されてもよい。
【０１７９】
［変圧器５４Ａの内部構造］
以下、第２の実施の形態に従う変圧器５４Ａの内部構造について説明する。
【０１８０】
上記式（１）に示されるように、二次巻線Ｗ２Ａの伝達特性は、インダクタンスＬ１または静電容量「Ｃ１」に応じて調整され得る。このとき、静電容量「Ｃ１」は、一次巻線Ｗに対する二次巻線Ｗ２Ａの巻き数の比に依存する。当該巻き数比の調整よりもインダクタンス「Ｌ１」の調整の方が容易であるため、好ましくは、二次巻線Ｗ２Ａの伝達特性は、インダクタンス「Ｌ１」で調整される。同様に、二次巻線Ｗ２Ｂの伝達特性は、インダクタンス「Ｌ２」で調整される。
【０１８１】
インダクタンス「Ｌ１」は、漏洩インダクタンスであり、一次巻線Ｗ１と二次巻線Ｗ２Ａとで共有されない磁束が増えると、インダクタンス「Ｌ１」は大きくなる。当該磁束は、たとえば、一次巻線Ｗ１と二次巻線Ｗ２Ａとの間の距離に応じて変わる。この点に着目して、二次巻線Ｗ２Ａが所望の伝達特性になるように、一次巻線Ｗ１と二次巻線Ｗ２Ａとの間における距離が調整される。すなわち、二次巻線Ｗ２Ａから所定の周波数の出力電圧が発生するように、一次巻線Ｗ１と二次巻線Ｗ２Ａとの間に所定距離（第１距離）が空けられる。好ましくは、当該距離は、一次巻線Ｗ１の外周と二次巻線Ｗ２Ａの外周との間の距離である。
【０１８２】
同様に、二次巻線Ｗ２Ｂが所望の伝達特性になるように、一次巻線Ｗ１と二次巻線Ｗ２Ｂとの間における距離が調整される。すなわち、二次巻線Ｗ２Ｂから所定の周波数の出力電圧が発生するように、一次巻線Ｗ１と二次巻線Ｗ２Ｂとの間には所定距離（第２距離）が空けられる。
【０１８３】
図１３および図１４を参照して、第２の実施の形態に従う電源装置５０Ａに備えられる変圧器５４Ａの構造の具体例について説明する。図１３は、変圧器５４Ａの外観を示す図である。図１４は、変圧器５４Ａを分解した図である。
【０１８４】
図１３および図１４に示されるように、変圧器５４Ａは、コア６１Ａ，６１Ｂと、ボビンＢ１，Ｂ２とで構成されている。
【０１８５】
コア６１Ａ，６１Ｂは、たとえば、Ｅ字形状であり、中脚と、中脚を間に挟んだ２つの外脚とで構成されている。コア６１Ａの中脚には、筒状のボビンＢ１が取り付けられる。コア６１Ｂの中脚には、筒状のボビンＢ２が取り付けられる。
【０１８６】
ボビンＢ２の径は、ボビンＢ１の径よりも大きく、ボビンＢ１は、ボビンＢ２に内包される。ボビンＢ１，Ｂ２は、一体的に構成されてもよいし、別個に構成されてもよい。ボビンＢ１，Ｂ２は、たとえば、樹脂で構成されている。
【０１８７】
ボビンＢ１（一次用ボビン）には、一次巻線Ｗが巻かれている。一次巻線Ｗの一端は、電極Ｅ１Ａに繋げられている。一次巻線Ｗの他端は、電極Ｅ１Ｂに繋げられている。電極Ｅ１Ａ，Ｅ１Ｂ間に重畳電圧が印加される。
【０１８８】
ボビンＢ２（二次用ボビン）は、二次巻線の巻付部を２つ以上有する。図１３および図１４の例では、ボビンＢ２は、４つの巻付部Ｂ２Ａ〜Ｂ２Ｄを有している。巻付部Ｂ２Ａ〜Ｂ２Ｄの各々は、たとえば、セパレータで分けられている。
【０１８９】
巻付部Ｂ２Ａには、二次巻線Ｗ２Ａが巻き付けられている。二次巻線Ｗ２Ａの一端は、電極Ｅ２Ａ１に繋げられている。二次巻線Ｗ２Ａの他端は、電極Ｅ２Ａ２に繋げられている。電極Ｅ２Ａ１，Ｅ２Ａ２間に、二次巻線Ｗ２Ａの伝達特性に応じた交流電圧が発生する。
【０１９０】
巻付部Ｂ２Ｂには、二次巻線Ｗ２Ｂが巻き付けられている。二次巻線Ｗ２Ｂの一端は、電極Ｅ２Ｂ１に繋げられている。二次巻線Ｗ２Ｂの他端は、電極Ｅ２Ｂ２に繋げられている。電極Ｅ２Ｂ１，Ｅ２Ｂ２間に、二次巻線Ｗ２Ｂの伝達特性に応じた交流電圧が発生する。
【０１９１】
巻付部Ｂ２Ｃには、二次巻線Ｗ２Ｃが巻き付けられている。二次巻線Ｗ２Ｃの一端は、電極Ｅ２Ｃ１に繋げられている。二次巻線Ｗ２Ｃの他端は、電極Ｅ２Ｃ２に繋げられている。電極Ｅ２Ｃ１，Ｅ２Ｃ２間に、二次巻線Ｗ２Ｃの伝達特性に応じた交流電圧が発生する。
【０１９２】
巻付部Ｂ２Ｄには、二次巻線Ｗ２Ｄが巻き付けられている。二次巻線Ｗ２Ｄの一端は、電極Ｅ２Ｄ１に繋げられている。二次巻線Ｗ２Ｄの他端は、電極Ｅ２Ｄ２に繋げられている。電極Ｅ２Ｄ１，Ｅ２Ｄ２間に、二次巻線Ｗ２Ｄの伝達特性に応じた交流電圧が発生する。
【０１９３】
ボビンＢ１と巻付部Ｂ２Ａとの間には、距離Ｄ１（第１距離）が空けられている。ボビンＢ１と巻付部Ｂ２Ｂとの間には、距離Ｄ２（第２距離）が空けられている。ボビンＢ１と巻付部Ｂ２Ｃとの間には、距離Ｄ３が空けられている。ボビンＢ１と巻付部Ｂ２Ｄとの間には、距離Ｄ４が空けられている。距離Ｄ１〜Ｄ４は、互いに異なる。その結果、二次巻線Ｗ２Ａ〜Ｗ２Ｄ間の伝達特性に差異が生じ、異なる周波数の交流電圧が二次巻線Ｗ２Ａ〜Ｗ２Ｄのそれぞれから出力される。
【０１９４】
一次巻線Ｗ１および二次巻線Ｗ２Ａ〜Ｗ２Ｄが並べられて配置されると、一次巻線Ｗ１から遠い二次巻線のインダクタンスが大きくなりすぎ、所望の伝達特性が得られないことがある。一次巻線Ｗ１が二次巻線Ｗ２Ａ〜Ｗ２Ｄに内包されることで、距離Ｄ１〜Ｄ４が正確に調整され得るので、二次巻線Ｗ２Ａ〜Ｗ２Ｄの出力電圧の周波数や大きさが意図する通りに調整される。
【０１９５】
［電源装置５０Ａの回路構成］
図１５を参照して、第２の実施の形態に従う電源装置５０Ａの回路構成について説明する。図１５は、電源装置５０Ａの回路構成の一例を示す図である。
【０１９６】
図４に示される電源装置５０にはバンドパスフィルタＦ２〜Ｆ５が設けられていたが、図１５に示される電源装置５０ＡにはバンドパスフィルタＦ２〜Ｆ５が設けられていない。また、電源装置５０Ａは、複数の二次巻線Ｗ２Ａ〜Ｗ２Ｄを備える点で図４に示される電源装置５０と異なる。その他の点は図４に示される電源装置５０と同じであるので、以下ではそれらの説明については繰り返さない。
【０１９７】
二次巻線Ｗ２Ａ〜Ｗ２Ｄは、それぞれ異なる伝達特性を有し、異なる周波数で共振する。二次巻線Ｗ２Ａは、交流電圧ｆ２と同一の周波数で共振するように構成されている。その結果、交流電圧ｆ２〜ｆ５の重畳電圧ｆが一次巻線Ｗ１に印加されると、二次巻線Ｗ２Ａは、交流電圧ｆ２と同一の交流成分を含む出力電圧ｆ２’を出力する。同様に、重畳電圧ｆが一次巻線Ｗ１に印加されると、二次巻線Ｗ２Ｂは、交流電圧ｆ３と同一の交流成分を含む出力電圧ｆ３’を出力する。重畳電圧ｆが一次巻線Ｗ１に印加されると、二次巻線Ｗ２Ｃは、交流電圧ｆ４と同一の交流成分を含む出力電圧ｆ４’を出力する。重畳電圧ｆが一次巻線Ｗ１に印加されると、二次巻線Ｗ２Ｄは、交流電圧ｆ５と同一の交流成分を含む出力電圧ｆ５’を出力する。このように、二次巻線Ｗ２Ａ〜Ｗ２Ｄは、同時に異なる周波数の交流電圧を発生する。
【０１９８】
なお、二次巻線Ｗ２Ａ〜Ｗ２Ｄのそれぞれと、変換回路Ｔ２〜Ｔ５のそれぞれとの間にはバンドパスフィルタが設けられてもよい。これにより、より精度良く、所望の周波数帯域の交流成分が得られる。
【０１９９】
また、検知部５６Ａ〜５６Ｄのそれぞれにバンドパスフィルタが接続されてもよい。この場合、検知部５６Ａ〜５６Ｄのそれぞれから出力される検知信号は、バンドパスフィルタを通過した上で、周波数制御部ＤＣ２〜ＤＣ５のそれぞれにフィードバックされる。
【０２００】
［小括］
以上のようにして、本実施の形態に従う電源装置５０Ａは、異なる伝達特性を有する複数の二次巻線を用いて、異なる周波数の交流電圧を出力する。異なる周波数の交流電圧を出力するために、バンドパスフィルタが必要ないため、電源装置５０Ａの回路構成が簡素化される。
【０２０１】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０２０２】
１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３７  カセット、３８  従動ローラー、３９  駆動ローラー、４０  タイミングローラー、４１  搬送経路、４３  定着装置、４８  トレー、５０，５０Ａ  電源装置、５１  制御装置、５４，５４Ａ  変圧器、５６  検知部、６０，６０Ａ  電流検知回路、６１Ａ，６１Ｂ  コア、９１〜９３，９６，９７  伝達特性、１００  画像形成装置、１０２  ＲＯＭ、１０３  ＲＡＭ、１０４  ネットワークインターフェイス、１０７  操作パネル、１２０  記憶装置、１２２  制御プログラム。
【図１】
0006786864.tif 000002
【図２】
0006786864.tif 000003
【図３】
0006786864.tif 000004
【図４】
0006786864.tif 000005
【図５】
0006786864.tif 000006
【図６】
0006786864.tif 000007
【図７】
0006786864.tif 000008
【図８】
0006786864.tif 000009
【図９】
0006786864.tif 000010
【図１０】
0006786864.tif 000011
【図１１】
0006786864.tif 000012
【図１２】
0006786864.tif 000013
【図１３】
0006786864.tif 000014
【図１４】
0006786864.tif 000015
【図１５】
0006786864.tif 000016